(57)【要約】【課題】クレセント錠の施錠、解錠と連動して補助ロックを自動的に掛け外しできるようにして、サッ窓の操作性の向上を図る。【解決手段】矩形に枠組みした枠体の内側に開閉可能に設けた障子３、４を施錠するためのクレセント７及びスライド錠１０を、内障子３の召し合わせ框３ｃに取り付け、スライド錠１０の開閉動作に連動するリンク体１８を召し合わせ框３ｃ外に上下動可能に設ける。リンク体１８は召し合わせ框３ｃの上端部でサッシシマリ１２に当接するように配置する。サッシシマリ１２は、クレセント錠５とスライド錠１０を施錠に伴うリンク体１８の上行時にボタン１６を押し下げ、シマリ材１４を跳ね上げさせて障子３、４を開けられなくする。内障子３の上框３ａに沿って伸びるリンク体１８の先端に、障子３、４の開状態を検知するセンサＳをオンとするため、マグネット１９を設ける。【選択図】　　　　図３
2004052308.tif 000002
【特許請求の範囲】
【請求項１】
矩形に枠組みした枠体の内側に開閉可能に設けた一対の障子を施錠するためのクレセント錠を備えるサッシであって、該クレセント錠をなすクレセントまたは該クレセント用のスライドロック機構の動作に連動するリンク体を該クレセントを設けた一の障子の召し合わせ框となる縦枠外に上下動可能に設け、クレセント受けを設けた他の障子の上框、下框あるいは中桟のいずれかの外部にサッシシマリを取り付けてなり、該サッシシマリが、突出して上記一の障子の上記縦枠に当接して該一の障子の開閉動作を妨げるシマリ部材と、上記リンク体との当接あるいは摺接により上記シマリ部材を突出駆動する駆動部材からなることを特徴とするサッシ。
【請求項２】
矩形に枠組みした枠体の内側に開閉可能に設けた一対の障子を施錠するためのクレセント錠を備えるサッシであって、該クレセント錠をなすクレセントまたは該クレセント用のスライドロック機構の動作に連動するリンク体を該クレセントを設けた一の障子の召し合わせ框となる縦枠内に上下動可能に設け、クレセント受けを設けた他の障子の上框、下框あるいは中桟のいずれかの内部にサッシシマリを取り付けてなり、該サッシシマリが、突出して上記一の障子の上記縦枠に当接して該一の障子の開閉動作を妨げるシマリ部材と、上記リンク体との当接あるいは摺接により上記シマリ部材を突出駆動する駆動部材からなり、これらリンク部材及び駆動部材の当接または摺説を許す開口部を上記一及び他の障子に設けてなることを特徴とするサッシ。
【請求項３】
請求項１または２のサッシにおいて、上記リンク体の上端に上記一の障子の上框、下框あるいは中桟の外部または内部に伸びる水平部を備え、該水平部の先端に磁性体を設け、上記一の障子の開状態を検知するセンサで上記磁性体を検知可能としてなることを特徴とするサッシ。
【発明の詳細な説明】
【０００１】
【発明の属する技術分野】
本発明は、クレセント錠等を備えたサッシに関し、特にクレセント錠と補助ロック機構であるサッシシマリとを連動化して操作性の向上を図ったものに関する。
【０００２】
【従来の技術】
一般に、引き違い窓等のサッシにおいては、防犯等の目的で障子を全閉状態で施錠するためのクレセント錠（締り金具）を備えている。一般的なクレセント錠は、一対の障子の一方の縦枠である召し合せ框に台座を介して回動可能に取り付け、他方の障子の召し合せ框にクレセント受けを固定し、クレセント錠には、回動させてクレセント受けに引っ掛けて掛け止めたり、外したりするスプーン等と称する掛止部と、掛止部を回動操作するためのハンドルとしてクレセントレバーを備えている。またクレセントレバーの操作をロック、アンロックするためのスライドロック機構を備えたものもある。
【０００３】
ところが、このようなクレセント錠は、その周りの部分だけガラスを割って室内側に手を入れれば簡単に解錠でき、空巣等がこの手法で障子を開けて容易に侵入できることが知られている。そこで、このようなクレセント錠と合わせて使用することにより、二重、三重のロックを掛け、サッシ窓からの建物内への不法侵入に至るまでの時間を長引かせることで、空巣等に侵入をあきらめさせ、防犯性を向上させる種々の補助錠機器が開発され、使用されている。
【０００４】
また、ホームセキュリティに対する一般の関心が高まりつつある中、サッシ窓のクレセント錠が施錠状態にあるか解錠状態にあるかを検出し、窓まで行かなくても玄関や居間等で集中的に確認でき、警備会社等に通報できる施錠確認装置等も開発されている。
【０００５】
【発明が解決しようとする課題】
しかしながら、上記のような補助錠機器はクレセント錠の施錠操作とは別個にそれ自体の施錠操作を行わなければならず、それが面倒なため、補助錠についてはうっかりして施錠を忘れるだけでなく、意図的に施錠しないという防犯上からは非常に好ましくない状況になることが多かった。
【０００６】
また施錠確認装置等は、取り付け費用だけでなく警備会社に支払ういわゆるランニングコストも多大なものになっており、一般的な家庭では導入が容易ではなかった。
【０００７】
一方、窓自体の防犯対策として、窓ガラスに特殊なフィルムを貼ってガラスを割られにくくする、網入りガラスを採用する、窓ガラスに破壊センサを取り付ける等が知られているが、これらはいずれも障子閉め、かつ施錠を行わなければ無意味なものである。
【０００８】
本発明は、このような従来の諸問題点にかんがみてなしたもので、クレセント錠の施錠、解錠と連動して補助ロックを自動的に掛けたり解除したりすることができ、操作性の向上が図れるサッシを提供することを目的とする。
【０００９】
【課題を解決するための手段】
本発明のサッシのうち請求項１に係るものは、上記目的を達成するために、矩形に枠組みした枠体の内側に開閉可能に設けた一対の障子を施錠するためのクレセント錠を備えるサッシであって、該クレセント錠をなすクレセントまたは該クレセント用のスライドロック機構の動作に連動するリンク体を該クレセントを設けた一の障子の召し合わせ框となる縦枠外に上下動可能に設け、クレセント受けを設けた他の障子の上框、下框あるいは中桟のいずれかの外部にサッシシマリを取り付けてなり、該サッシシマリが、突出して上記一の障子の上記縦枠に当接して該一の障子の開閉動作を妨げるシマリ部材と、上記リンク体との当接あるいは摺接により上記シマリ部材を突出駆動する駆動部材からなることを特徴とする。
【００１０】
同請求項２に係るものは、上記目的を達成するために、矩形に枠組みした枠体の内側に開閉可能に設けた一対の障子を施錠するためのクレセント錠を備えるサッシであって、該クレセント錠をなすクレセントまたは該クレセント用のスライドロック機構の動作に連動するリンク体を該クレセントを設けた一の障子の召し合わせ框となる縦枠内に上下動可能に設け、クレセント受けを設けた他の障子の上框、下框あるいは中桟のいずれかの内部にサッシシマリを取り付けてなり、該サッシシマリが、突出して上記一の障子の上記縦枠に当接して該一の障子の開閉動作を妨げるシマリ部材と、上記リンク体との当接あるいは摺接により上記シマリ部材を突出駆動する駆動部材からなり、これらリンク部材及び駆動部材の当接または摺説を許す開口部を上記一及び他の障子に設けてなることを特徴とする。
【００１１】
同請求項３に係るものは、上記目的を達成するために、請求項１または２のサッシにおいて、上記リンク体の上端に上記一の障子の上框、下框あるいは中桟の外部または内部に伸びる水平部を備え、該水平部の先端に磁性体を設け、上記一の障子の開状態を検知するセンサで上記磁性体を検知可能としてなることを特徴とする。
【００１２】
【発明の実施の形態】
以下、本発明の実施の形態を図面を参照して説明する。
図１は本発明に係るサッシの一実施形態を示す室内側正面図、図２はクレセント錠周りの外観を拡大して示す斜視図、図３は要部を拡大した室内側正面図（Ａ）及び側面図（Ｂ）である。
【００１３】
これらの図において１は引き違い窓のサッシで、建物の躯体の開口部に取り付けるために矩形に枠組みした枠体２と、枠体２内に図の左右方向へスライド開閉可能に取り付けた内外の障子３、４からなり、枠体２の上部で図中略中央部位に内障子３の開閉状態を検知するセンサＳが配してある。
【００１４】
枠体２は、例えばアルミニウム合金の押出形材からなる上枠２ａ、下枠２ｂ及び左右の縦枠２ｃ、２ｄを枠組みして形成してある。内障子３及び外障子４も、例えばアルミニウム合金の押出形材からなる上框３ａ、４ａ、下框３ｂ、４ｂ及び左右の縦框３ｃ、３ｄ、４ｃ、４ｄを矩形に組み合わせて構成してあり、その内側にガラスＧを嵌め込んである。図示せぬがもちろん中桟を有するものであっても良い。
【００１５】
障子３、４を閉鎖状態に施錠するためのクレセント錠５は、内障子３の召し合せ框３ｃに台座６を介してクレセント７を取り付け、外障子４の召し合せ框４ｃにはクレセント受け８を取り付けて構成してある。図２に詳細に示すように、クレセント７は、召し合せ框３ｃに取り付けるための台座６に回動可能に取り付けてあり、掛止部（スプーン）７ａ及び掛止部７ａを回動操作するハンドル７ｂからなり、掛止部７ａを回動させてクレセント受け８に掛止、施錠する。また詳細な図示は省略するが、台座６にはスライド錠１０が設けてあり、その操作のためのスライド部材１１が台座６外へ突設してある。
【００１６】
外障子４の上框４ａ室内側には、内障子３の召し合せ框３ｃに近付けてサッシシマリ１２が設けてあり、内障子３の召し合せ框３ｃ外側には、クレセント７の台座８上に伸びる状態でサッシシマリ１２の駆動装置１３が設けてある。
【００１７】
サッシシマリには適宜公知のものを採用すればよいが、例えば図４に示すようなものを用いることが好ましい。図４のサッシシマリ１２は、詳細な構造は図示を省略するが、ベース材１４に跳ね上がり式のシマリ部材１５とこれを駆動するためのボタン１６を設けたものである。ボタン１６を押すとシマリ部材１５の一端側が跳ね上がり、その跳ね上がった側にある内障子３の移動を阻止し得るようになり、いったん跳ね上がったシマリ部材１５を復帰させるには、シマリ部材１５自体を手などで押し込む。なお、サッシシマリ１２の作動状態、すなわちシマリ部材１５が跳ね上がった状態で障子３、４を動かした場合、枠体２との間に５ｃｍ程度隙間ができるようにし得るものを採用するとよい。
【００１８】
このサッシシマリ１２を駆動するための駆動装置１３は、内障子３の召し合せ框３ｃ外側面に接着等により固定した略逆Ｌ字状の平面形状を有するカバー１７と、その内側に収納した同じく略逆Ｌ字状のリンク部材１８とからなり、リンク部材１８の基端はクレセント錠５の台座６内でスライド錠１０のスライド部材１１と連動するようにしてある。なおリンク部材１８の基端とスライド部材１１との連動構造については、種々公知の連結機構を採用すれば良いので図示及び説明を省略する。またスライド錠１０を用いずに、直接的にリンク部材１８の基端とクレセント錠５のクレセント７とを連動させる、たとえばカム機構やギヤ機構を用いてもよい。
【００１９】
リンク部材１８は、略逆Ｌ字状の棒状部材で、召し合せ框３ｃに沿って上下動する垂直部位１８ａと、上框３ａに沿って上下動する水平部位１８ｂと、これらの間を連結する突部１８ｃとから構成してある。クレセント錠５とスライド錠１０が開状態では図３に示すように突部１８ｃはサッシシマリ１２のボタン１６より下方に位置し、クレセント錠５とスライド錠１０の閉操作によって上方へ移動すると、突部１８ｃがボタン１６を押してシマリ部材１５を跳ね上がらせることができる。
【００２０】
またリンク部材１８の水平部位１８ｂには、マグネット１９が設けてあり、内障子３の開閉状態を検知するセンサＳの駆動部材となっている。センサＳは、リードスイッチ２０、電源となる電池２１、発光ダイオード２２、一対の出力端子２３ａ、２３ｂを備えている。リードスイッチ２０には磁力によって開閉するタイプのもので種々公知のものを採用できる。また発光ダイオード２２は、リードスイッチ２０がオンすると点灯、オフとなると消灯する。なお出力端子２３ａ、２３ｂを一対としたのは、回転灯、防犯灯、防犯ビデオシステム、警備会社の防犯システム等の種々のものへの対応性を拡張するためで、したがって２個に個数が限定されることはない。
【００２１】
次に、以上の構成からなるサッシの動作を図５をも参照して説明する。
図５（Ａ）に示すように、クレセント錠５とスライド錠１０を施錠していない場合には、内外の障子３、４の開閉にかかわらずリンク部材１８の突部１８ｃはサッシシマリ１２のボタンを押し上げず、サッシシマリ１２が機能していないため居住者などは自由に窓を開閉できる。またセンサＳもオフとなっているため、例えば警備会社の防犯システム等への警報出力は行われず、発光ダイオード２２も消灯している。
【００２２】
クレセント錠５を施錠する場合には、先ず内外の障子３、４を閉じ、それぞれの召し合わせ框３ｃ、４ｃの位置を合致させ、スライド錠１０のスライド部材１１を押し上げ、クレセント７のハンドル７ｂを解錠位置から図２に示す施錠位置まで回転させる。このとき、スライド部材１１の押上に応じてリンク部材１８が上昇し、突部１８ｃがサッシシマリ１２のボタン１６を押し下げ、これによってシマリ部材１５が跳ね上がり、サッシシマリ１２が機能して本実施形態のサッシ１は２重にロックされた状態になる。またこれと同時に、リンク部材１８の水平部位１８ｂも上昇し、マグネット１９がリードスイッチ２０に接近する。これによってリードスイッチ２０がオンとなり、センサＳ全体が起動され、例えば警備会社の防犯システム等へはサッシ１が閉じた状態にあることを示す信号がいずれかのあるいは双方の出力端子２３ａ、２３ｂから行われ、発光ダイオード２２も点灯する。この状態を図５（Ｂ）に示す。
【００２３】
そしてクレ￥ｌｏｃｈセント錠５を解錠する場合には、先ずスライド錠１０のスライド部材１１を操作してクレセント７のハンドル７ｂを施錠位置から解錠位置まで回転させて戻す。すると、リンク部材１８が下降し、突部１８ｃがサッシシマリ１２のボタン１６の位置から外れ、これによってシマリ部材１５を解錠状態へ押し戻せるようになる。またこれと同時に、リンク部材１８の水平部位１８ｂも下降し、マグネット１９がリードスイッチ２０から離れる。これによってリードスイッチ２０がオフとなり、センサＳ全体もオフとなり、例えば警備会社の防犯システム等へはサッシ１が開いた状態にあることを示す信号がいずれかのあるいは双方の出力端子２３ａ、２３ｂから行われ、発光ダイオード２２が消灯する。この状態を図５（Ｃ）に示す。
【００２４】
以上、本発明の実施形態を図面により詳述してきたが、本発明は上記実施形態に限定されるものではなく、本発明の要旨を逸脱しない範囲での種々の設計変更等が可能である。例えば上記実施形態では、本発明を引き違い窓のサッシに適用した例を示したが、本発明はその他の引き違い式のサッシや上げ下げ式のサッシ等種々のものに適用可能である。またサッシシマリやその駆動装置を障子を構成する部材の外側に取り付けているが、これらを障子の構成部材内に収納する構造としても良い。もちろんその場合には、サッシシマリと駆動装置を接触させるための開口部等を障子の構成部材に設ける必要がある。
【００２５】
【発明の効果】
本発明に係るサッシは以上説明してきたようなものなので、クレセント錠の施錠、解錠と連動して補助ロックを自動的に掛けたり解除したりすることができ、操作性の向上が図れ、またクレセント錠を普段の通りに操作するだけなので補助ロックを掛け忘れることがなく、非常に防犯性が高まるという効果がある。
【図面の簡単な説明】
【図１】本発明に係るサッシの一実施形態を示す室内側正面図である。
【図２】図１の実施形態のクレセント錠周りの外観を拡大して示す斜視図である。
【図３】図１の実施形態の要部を拡大した室内側正面図（Ａ）及び側面図（Ｂ）である。
【図４】サッシシマリの構造と動作を示す概略平面図である。
【図５】本発明に係るサッシの一実施形態の動作を示す側面図である。
【符号の説明】
１　引き違い窓のサッシ
２　枠体
２ａ　上枠
２ｂ　下枠
２ｃ、２ｄ　縦枠
３、４　障子
３ａ、４ａ　上框
３ｂ、４ｂ　下框
３ｃ、３ｄ、４ｃ、４ｄ　縦框
５　クレセント錠
６　台座
７　クレセント
７ａ　掛止部
７ｂ　ハンドル
８　クレセント受け
１０　スライド錠
１１　スライド部材
１２　サッシシマリ
１３　サッシシマリの駆動装置
１４　ベース材
１５　シマリ部材
１６　ボタン
１７　カバー
１８　リンク部材
１８ａ　垂直部位
１８ｂ　水平部位
１８ｃ　突部
１９　マグネット
２０　リードスイッチ
２１　電池
２２　発光ダイオード
２３ａ、２３ｂ　出力端子
Ｇ　ガラス
Ｓ　センサ
【図１】
2004052308.tif 000003
【図２】
2004052308.tif 000004
【図３】
2004052308.tif 000005
【図４】
2004052308.tif 000006
【図５】
2004052308.tif 000007